(57)【特許請求の範囲】
【請求項１】
サービスエリア内の移動端末に対し、ブロードキャスト配信サーバからブロードキャスト情報を配信する到達確認型ブロードキャスト配信方法であって、
前記ブロードキャスト配信サーバが、ブロードキャスト情報の配信順序を示すシーケンス番号をブロードキャスト情報に付与するとともに、シーケンス番号の付与されたブロードキャスト情報を前記移動端末に配信するステップと、
前記移動端末が、ブロードキャスト情報を受信し、受信したブロードキャスト情報のシーケンス番号を記憶するステップと、
前記移動端末が、前回受信したブロードキャスト情報のシーケンス番号と新たに受信したブロードキャスト情報のシーケンス番号との連続性を判定し、判定結果に応じて未到達のブロードキャスト情報とそのシーケンス番号を検出するステップと、
前記移動端末が、前記未到達のブロードキャスト情報のシーケンス番号を含む未到達通知を前記ブロードキャスト配信サーバに通知するステップと、
前記ブロードキャスト配信サーバが、ブロードキャスト情報を配信した場合に、配信済みのブロードキャスト情報とそのシーケンス番号とを対応づけた配信履歴を更新するステップと、
前記ブロードキャスト配信サーバが、前記配信履歴に基づき、前記移動端末によって通知されたシーケンス番号に対応づけられた配信済みのブロードキャスト情報を前記未到達のブロードキャスト情報として特定するステップと、
前記ブロードキャスト配信サーバが、ブロードキャスト情報の配信サービスについての利用料金を移動端末毎に管理する課金サーバに対し、前記特定された未到達のブロードキャスト情報に対する利用料金の減額を要求する料金減額要求を送信するとともに、前記未到達のブロードキャスト情報を前記移動端末に再送するステップ
とを含むことを特徴とする到達確認型ブロードキャスト配信方法。
【請求項２】
前記ブロードキャスト配信サーバが、前記移動端末に対し、前記特定された未到達のブロードキャスト情報をユニキャストにより送信するステップを更に含むことを特徴とする請求項１に記載の到達確認型ブロードキャスト配信方法。
【請求項３】
前記ブロードキャスト配信サーバに通知するステップでは、前記移動端末が、複数回分の前記未到達通知を保持し、保持した複数回分の前記未到達通知を一括して前記ブロードキャスト配信サーバに通知することを特徴とする請求項１に記載の到達確認型ブロードキャスト配信方法。
【請求項４】
サービスエリア内の移動端末に対し、ブロードキャスト情報を配信するブロードキャスト配信サーバであって、
ブロードキャスト情報の配信順序を示すシーケンス番号をブロードキャスト情報に付与するとともに、シーケンス番号の付与されたブロードキャスト情報を前記移動端末に配信するブロードキャスト情報配信部と、
前記ブロードキャスト情報を配信した場合に、配信済みのブロードキャスト情報とそのシーケンス番号とを対応づけた配信履歴を更新する配信履歴更新部と、
前記移動端末がシーケンス番号の連続性に基づいて検出した未到達のブロードキャスト情報のシーケンス番号を、前記移動端末から受信する通信インタフェース部と、
前記配信履歴に基づき、前記移動端末によって通知されたシーケンス番号に対応づけられた配信済みのブロードキャスト情報を、前記未到達のブロードキャスト情報として特定する未到達情報特定部と、
ブロードキャスト情報の配信サービスについての利用料金を移動端末毎に管理する課金サーバに対し、前記特定された未到達のブロードキャスト情報に対する利用料金の減額を要求する料金減額要求を送信する料金減額要求部
とを備え、
前記ブロードキャスト配信部は、前記料金減額要求部が前記料金減額要求を送信するとともに、前記未到達のブロードキャスト情報を前記移動端末に再送することを特徴とするブロードキャスト配信サーバ。
【請求項５】
前記ブロードキャスト情報配信部は、前記移動端末に対し、前記特定された未到達のブロードキャスト情報をユニキャストにより送信することを特徴とする請求項４に記載のブロードキャスト配信サーバ。
【発明の詳細な説明】
【技術分野】
【０００１】
本発明は、移動通信システムにおけるブロードキャスト型の情報配信サービスに用いられる到達確認型ブロードキャスト配信方法、移動端末、及びブロードキャスト配信サーバに関する。
【背景技術】
【０００２】
ブロードキャスト型の情報配信サービスとして、３ＧＰＰ（3rd Generation Partnership Project）標準化仕様によって、セルブロードキャストサービス（ＣＢＳ）が定義されている。セルブロードキャストサービスでは、各基地局は、通信可能なエリアであるセルに対して、特定の無線チャネル（以下「ブロードキャストチャネル」）を用いて、各セルに対応した複数種の放送情報（以下「ブロードキャスト情報」）を配信する。具体的には、ブロードキャスト配信サーバは、各セルに対応した案内情報や天気予報等を含むブロードキャスト情報を作成し、作成したブロードキャスト情報をサービスエリア内の移動端末へ所定のタイミングで配信する。
【０００３】
一方、ブロードキャストチャネルに加えて、ブロードキャストチャネルに対する通信品質を保障するための双方向チャネルを設け、移動端末が、受信したパケットに誤りがあるか否かを双方向チャネルの上り回線を用いて基地局に通知する手法が提案されている（特許文献１参照。）。基地局は、移動端末からの再送要求に応じて、双方向チャネルの下り回線を用いて、ブロードキャストチャネルで送信したパケットの一部を再送する。
【特許文献１】特開２００４−１２８５６３号公報
【発明の開示】
【発明が解決しようとする課題】
【０００４】
上述した基地局がブロードキャスト情報をパケット単位で再送する手法においては、ブロードキャスト情報を構成するパケットのパケット誤り及びパケット抜け程度であれば対応可能である。しかしながら、移動端末がサービスエリア外に存在する場合又は移動端末の電源がオフであるために、１回分又は複数回分のブロードキャスト情報の受信自体が不可能となるような場合に対応できない。
【０００５】
すなわち、移動端末がブロードキャスト情報の受信自体が不可能となるような場合、双方向チャネルも使用不可能となるため、ネットワーク側では、移動端末が各ブロードキャスト情報を実際に受信したか否かを確認できない。したがって、ブロードキャスト情報の受信漏れのあった移動端末に対し、利用料金の減額やブロードキャスト情報の再送等の保証を行うことが困難であった。
【０００６】
上記問題点を鑑み、本発明は、ブロードキャスト情報の受信漏れを確実に検出可能とする到達確認型ブロードキャスト配信方法、移動端末、及びブロードキャスト配信サーバを提供することを目的とする。
【課題を解決するための手段】
【０００７】
上記目的を達成するために、本発明の第１の特徴は、サービスエリア内の移動端末に対し、ブロードキャスト配信サーバからブロードキャスト情報を配信する到達確認型ブロードキャスト配信方法であって、ブロードキャスト配信サーバが、ブロードキャスト情報の配信順序を示すシーケンス番号をブロードキャスト情報に付与するとともに、シーケンス番号の付与されたブロードキャスト情報を移動端末に配信するステップと、移動端末が、ブロードキャスト情報を受信し、受信したブロードキャスト情報のシーケンス番号を記憶するステップと、移動端末が、前回受信したブロードキャスト情報のシーケンス番号と新たに受信したブロードキャスト情報のシーケンス番号との連続性を判定し、判定結果に応じて未到達のブロードキャスト情報とそのシーケンス番号を検出するステップと、移動端末が、未到達のブロードキャスト情報のシーケンス番号をブロードキャスト配信サーバに通知するステップとを含む到達確認型ブロードキャスト配信方法であることを要旨とする。
【０００８】
この特徴によれば、ブロードキャスト配信サーバは、ブロードキャスト情報の受信漏れを確実に検出可能となる。
【０００９】
本発明の第２の特徴は、第１の特徴に係る到達確認型ブロードキャスト配信方法において、ブロードキャスト配信サーバが、ブロードキャスト情報を配信した場合に、配信済みのブロードキャスト情報とそのシーケンス番号とを対応づけた配信履歴を更新するステップと、ブロードキャスト配信サーバが、配信履歴に基づき、移動端末によって通知されたシーケンス番号に対応づけられた配信済みのブロードキャスト情報を未到達のブロードキャスト情報として特定するステップとを更に含むことを要旨とする。
【００１０】
この特徴によれば、ブロードキャスト配信サーバは、受信漏れのあったブロードキャスト情報を特定することが可能となる。
【００１１】
本発明の第３の特徴は、第２の特徴に係る到達確認型ブロードキャスト配信方法において、ブロードキャスト配信サーバが、ブロードキャスト情報の配信サービスについての利用料金を移動端末毎に管理する課金サーバに対し、特定された未到達のブロードキャスト情報に対する利用料金の減額を要求する料金減額要求を送信するステップを更に含むことを要旨とする。
【００１２】
この特徴によれば、ブロードキャスト情報の受信漏れのあった移動端末に対し、利用料金の減額を行うことが可能となる。
【００１３】
本発明の第４の特徴は、第２又は第３の特徴に係る到達確認型ブロードキャスト配信方法において、ブロードキャスト配信サーバが、移動端末に対し、特定された未到達のブロードキャスト情報をユニキャストにより送信するステップを更に含むことを要旨とする。
【００１４】
この特徴によれば、ブロードキャスト情報の受信漏れのあった移動端末に対し、ブロードキャスト情報の再送を行うことが可能となる。
【００１５】
本発明の第５の特徴は、ブロードキャスト配信サーバからサービスエリア内に配信されるブロードキャスト情報を受信する移動端末であって、ブロードキャスト配信サーバによってブロードキャスト情報に付与され、ブロードキャスト情報の配信順序を示すシーケンス番号を記憶するシーケンス番号記憶部と、前回受信したブロードキャスト情報のシーケンス番号と新たに受信したブロードキャスト情報のシーケンス番号との連続性を判定し、判定結果に応じて未到達のブロードキャスト情報とそのシーケンス番号を検出する連続性判定部と、未到達のブロードキャスト情報のシーケンス番号をブロードキャスト配信サーバに通知するシーケンス番号通知部とを備える移動端末であることを要旨とする。
【００１６】
本発明の第６の特徴は、サービスエリア内の移動端末に対し、ブロードキャスト情報を配信するブロードキャスト配信サーバであって、ブロードキャスト情報の配信順序を示すシーケンス番号をブロードキャスト情報に付与するとともに、シーケンス番号の付与されたブロードキャスト情報を移動端末に配信するブロードキャスト情報配信部と、ブロードキャスト情報を配信した場合に、配信済みのブロードキャスト情報とそのシーケンス番号とを対応づけた配信履歴を更新する配信履歴更新部と、移動端末がシーケンス番号の連続性に基づいて検出した未到達のブロードキャスト情報のシーケンス番号を、移動端末から受信する通信インタフェース部と、配信履歴に基づき、移動端末によって通知されたシーケンス番号に対応づけられた配信済みのブロードキャスト情報を、未到達のブロードキャスト情報として特定する未到達情報特定部とを備えるブロードキャスト配信サーバであることを要旨とする。
【００１７】
本発明の第７の特徴は、第６の特徴に係るブロードキャスト配信サーバにおいて、ブロードキャスト情報の配信サービスについての利用料金を移動端末毎に管理する課金サーバに対し、特定された未到達のブロードキャスト情報に対する利用料金の減額を要求する料金減額要求を送信する料金減額要求部を更に備えることを要旨とする。
【００１８】
本発明の第８の特徴は、ブロードキャスト情報配信部は、移動端末に対し、特定された未到達のブロードキャスト情報をユニキャストにより送信することを要旨とする。
【発明の効果】
【００１９】
本発明によれば、ブロードキャスト情報の受信漏れを確実に検出可能とする到達確認型ブロードキャスト配信方法、移動端末、及びブロードキャスト配信サーバを提供できる。
【発明を実施するための最良の形態】
【００２０】
次に、図面を参照して、本発明の実施形態を説明する。以下の実施形態における図面の記載において、同一又は類似の部分には同一又は類似の符号を付している。
【００２１】
（移動通信システムの構成）
本発明の実施形態に係る移動通信システムは、図１（ａ）に示すように、移動端末１，２と、位置制御、呼制御、及びサービス制御等を行うコアネットワーク（ＣＮ）１００と、無線技術を制御・終端する無線アクセスネットワーク（ＲＡＮ）２００とを備える。ここでは移動端末１，２として携帯電話端末を例示しているが、無線通信機能を有するＰＤＡ等であってもかまわない。
【００２２】
無線アクセスネットワーク２００は、基地局２０１，２０２を備える。基地局２０１，２０２のそれぞれは、通信可能なエリアであるセルを構成し、各セルを併せたエリアを「サービスエリア」と呼ぶ。なお、移動端末１，２は、基地局２０１，２０２にそれぞれ接続しており、ブロードキャストリンクが設定されている。
【００２３】
コアネットワーク１００は、サービスエリア内の移動端末１，２に対してブロードキャスト情報を配信するブロードキャスト配信サーバ１０１と、ブロードキャスト情報の配信サービスについての利用料金を移動端末１，２毎に管理する課金サーバ１０２とを備える。
【００２４】
ブロードキャスト配信サーバ１０１は、各セルに対応した案内情報や天気予報等を含むブロードキャスト情報を作成し、作成したブロードキャスト情報を、コアネットワーク１００及び無線アクセスネットワーク２００等のネットワークを介してサービスエリア内の移動端末１，２へ配信する。
【００２５】
ブロードキャスト配信サーバ１０１は、ブロードキャスト情報の配信順序を示すシーケンス番号をブロードキャスト情報に付与し、シーケンス番号の付与されたブロードキャスト情報を移動端末１，２に配信する。
【００２６】
移動端末１，２では、前回受信したブロードキャスト情報のシーケンス番号と新たに受信したブロードキャスト情報のシーケンス番号の連続性を判定することで、未到達の未到達のブロードキャスト情報を検出する。
【００２７】
（到達確認型ブロードキャスト配信方法）
次に、図１（ｂ）を用いて、図１（ａ）の無線通信システムに用いられる到達確認型ブロードキャスト配信方法について詳細に説明する。ただし、移動端末１，２は、同様の構成を有しているため、移動端末２について説明し、移動端末１の説明は省略する。また、ブロードキャスト配信サーバ１０１が、一定の時間間隔で３回のブロードキャスト配信を行うものとし、移動端末２が２回目のブロードキャスト配信を受信できない場合について説明する。
【００２８】
図１（ｂ）のステップＳ１０１において、ブロードキャスト配信サーバ１０１は、シーケンス番号＃１をブロードキャスト情報に付与し、シーケンス番号の付与されたブロードキャスト情報を移動端末２に配信する。
【００２９】
ステップＳ１０２において、ブロードキャスト配信サーバ１０１は、ステップＳ１０１で配信されたブロードキャスト情報とそのシーケンス番号＃１とを対応づけて配信履歴に追加する。
【００３０】
ステップＳ１０３において、移動端末２は、ステップＳ１０１で配信されたブロードキャスト情報を受信し、受信したブロードキャスト情報のシーケンス番号＃１を記憶する。
【００３１】
ステップＳ１０４において、ブロードキャスト配信サーバ１０１は、シーケンス番号＃２をブロードキャスト情報に付与し、シーケンス番号＃２の付与されたブロードキャスト情報を移動端末２に配信する。しかし、移動端末２がサービスエリア外であるために、ブロードキャスト情報が移動端末２に未到達である。
【００３２】
ステップＳ１０５において、ブロードキャスト配信サーバ１０１は、ステップＳ１０４で配信したブロードキャスト情報とそのシーケンス番号＃２とを対応づけて配信履歴に追加する。
【００３３】
ステップＳ１０６において、ブロードキャスト配信サーバ１０１は、シーケンス番号＃３をブロードキャスト情報に付与し、シーケンス番号＃３の付与されたブロードキャスト情報を移動端末２に配信する。
【００３４】
ステップＳ１０７において、ブロードキャスト配信サーバ１０１は、ステップＳ１０６で配信したブロードキャスト情報とそのシーケンス番号＃３とを対応づけて配信履歴に追加する。
【００３５】
ステップＳ１０８において、移動端末２は、ステップＳ１０６で配信されたブロードキャスト情報を受信し、受信したブロードキャスト情報のシーケンス番号＃３を記憶する。
【００３６】
ステップＳ１０９において、移動端末２は、シーケンス番号の連続性を判定する。ここでは、前回受信したブロードキャスト情報のシーケンス番号＃１と、新たに受信したブロードキャスト情報のシーケンス番号＃３が不連続であるので、移動端末２は、未到達のブロードキャスト情報が存在すると判定する。ここでは、シーケンス番号＃１と＃３の間のシーケンス番号＃２の示すブロードキャスト情報が未到達であると判定される。
【００３７】
ステップＳ１１０において、移動端末２は、未到達のブロードキャスト情報のシーケンス番号＃２を含む未到達通知を、ブロードキャスト配信サーバ１０１へ送信する。未到達通知には、シーケンス番号＃２に加えて、例えば、移動端末２を一意に識別する端末識別子（端末ＩＤ）が含まれている。
【００３８】
ステップＳ１１１において、ブロードキャスト配信サーバ１０１は、ステップＳ１０７で更新された配信履歴に基づき、移動端末２によって通知されたシーケンス番号＃２に対応づけられた配信済みのブロードキャスト情報を、未到達のブロードキャスト情報として特定する。この結果、ステップＳ１０４で配信されたブロードキャスト情報が、未到達のブロードキャスト情報として特定される。
【００３９】
ステップＳ１１２において、ブロードキャスト配信サーバ１０１は、移動端末２に対し、ステップＳ１１１で特定した未到達のブロードキャスト情報をユニキャストにより送信する。なお、ユニキャストにより送信されるブロードキャスト情報には、ステップＳ１１０で移動端末２から通知されたシーケンス番号＃２が含まれている。この結果、移動端末２は、未到達のブロードキャスト情報が再送されたことを確認できる。
【００４０】
ステップＳ１１３において、ブロードキャスト配信サーバ１０１は、課金サーバ１０２に対し、未到達のブロードキャスト情報についての利用料金の減額を要求する料金減額要求を送信する。この料金減額要求には、例えば、ステップＳ１１０で通知された移動端末２の端末ＩＤが含まれている。なお、ステップＳ１１３は、ステップＳ１１２の前に実行されてもかまわない。
【００４１】
ステップＳ１１４において、課金サーバ１０２は、移動端末２に対する利用料金を減額する。一例として課金サーバ１０２は、ブロードキャスト情報の配信サービスについての利用料金と端末ＩＤとを対応づけて管理しており、ステップＳ１１３で通知された端末ＩＤに対応づけられた利用料金を減額する。
【００４２】
このように、本発明の実施形態に係る到達確認型ブロードキャスト配信方法によれば、ブロードキャスト情報の受信漏れのあった移動端末２に対し、利用料金の減額及びブロードキャスト情報の再送を行うことが可能となる。
【００４３】
（ブロードキャスト配信サーバの構成）
ブロードキャスト配信サーバ１０１の機能構成例を図２（ａ）に示す。ブロードキャスト配信サーバ１０１は、通信インタフェース部（以下「通信ＩＦ部」）６０３と、配信済み情報記憶部６０４と、ブロードキャスト情報配信部６０５と、入出力インタフェース部（以下「入出力ＩＦ部」）６０６と、配信履歴更新部６０７と、未到達情報特定部６０８と、料金減額要求部６０９とを備える。なお、ブロードキャスト配信サーバは、図示を省略するＣＰＵと、記憶装置（ＲＯＭ、ＲＡＭ、及びＨＤＤ）等のハードウェアにより構成され、ＣＰＵは記憶装置に格納されたプログラムを実行することで、ブロードキャスト情報配信部６０５と、配信履歴更新部６０７と、未到達情報特定部６０８と、料金減額要求部６０９の各機能を実行する。
【００４４】
通信ＩＦ部６０３は、コアネットワーク１００と各種の情報を入出力する。入出力ＩＦ部６０６は、例えば、キーボード及びマウス等の入力装置と、表示装置等により構成される。配信済み情報記憶部６０４は、例えばＨＤＤにより構成され、配信済みのブロードキャスト情報を記憶する。配信履歴記憶部６０２は、例えばＨＤＤにより構成され、配信履歴を記憶する。
【００４５】
ブロードキャスト情報配信部６０５は、シーケンス番号をブロードキャスト情報に付与し、シーケンス番号の付与されたブロードキャスト情報を、通信ＩＦ部６０３を介して移動端末１，２に配信する。
【００４６】
配信履歴更新部６０７は、ブロードキャスト情報配信部６０５がブロードキャスト情報を配信した場合に、配信履歴記憶部６０２に記憶されている配信履歴を更新する。一例として配信履歴は、図２（ｂ）に示すように、配信済みのシーケンス番号と、配信済みのブロードキャスト情報の配信済み情報記憶部６０４における記憶位置を対応づけた構成を有している。
【００４７】
通信ＩＦ部６０３は、受信漏れのあった移動端末から、端末ＩＤ及びシーケンス番号を含む未到達通知を受信する。通信ＩＦ部６０３は、未到達通知を未到達情報特定部６０８及び料金減額要求部６０９に転送する。
【００４８】
未到達情報特定部６０８は、配信履歴記憶部６０２に記憶された配信履歴に基づき、未到達通知に含まれるシーケンス番号に対応づけられた配信済みのブロードキャスト情報を、未到達のブロードキャスト情報として特定する。特定されたブロードキャスト情報は、配信済み情報記憶部６０４から取得され、ブロードキャスト情報配信部６０５に転送される。
【００４９】
ブロードキャスト情報配信部６０５は、配信済み情報記憶部６０４から取得されたブロードキャスト情報を、未到達通知に含まれる端末ＩＤの示す移動端末に対し、ユニキャストにより送信する。
【００５０】
また、料金減額要求部６０９は、未到達通知に基づいて、課金サーバ１０２に対し、未到達のブロードキャスト情報についての利用料金の減額を要求する。
【００５１】
（移動端末の構成）
次に、移動端末２の機能構成例を図３に示す。移動端末２は、アンテナ５００と、共用器５０１と、送信部５０２と、受信部５０３と、制御部５０４と、ユーザデータ処理部５０５と、連続性判定部５０６と、シーケンス番号記憶部５０７と、シーケンス番号通知部５０８と、入出力ＩＦ部５０９と、ブロードキャスト情報記憶部５１０とを備える。なお、移動端末２は、図示を省略するＣＰＵと、記憶装置（ＲＯＭ、ＲＡＭ）等のハードウェアにより構成され、ＣＰＵは記憶装置に格納されたプログラムを実行することで、制御部５０４と、ユーザデータ処理部５０５と、連続性判定部５０６と、シーケンス番号通知部５０８の各機能を実行する。
【００５２】
シーケンス番号記憶部５０７は、ブロードキャスト配信サーバ１０１によって配信され、且つ、移動端末２によって受信されたブロードキャスト情報のシーケンス番号を記憶する。ブロードキャスト情報記憶部５１０は、受信したブロードキャスト情報を記憶する。
【００５３】
連続性判定部５０６は、シーケンス番号記憶部５０７に記憶されているシーケンス番号と、新たに受信したブロードキャスト情報のシーケンス番号との連続性を判定する。連続している場合は、未到達のブロードキャスト情報が存在しないと判定される。不連続である場合は、未到達のブロードキャスト情報が存在すると判定される。
【００５４】
シーケンス番号通知部５０８は、未到達のブロードキャスト情報のシーケンス番号を含む未到達通知をブロードキャスト配信サーバ１０１へ送信する。
【００５５】
なお、入力ＩＦ部５０９は、例えば、マイクロフォン、キーパッド、及びスクロールボタン等の入力装置と、スピーカ及び表示装置等の出力装置により構成される。
【００５６】
共用器５０１は、送信部５０２からの送信信号をアンテナ５００に伝達すると共に、アンテナ５００からの受信信号を受信部５０３に伝達する。
【００５７】
受信部５０３は、例えば、受信信号をダウンコンバートする受信ＲＦ部と、ダウンコンバートされた受信信号を逆拡散する逆拡散部と、逆拡散された受信信号を復調する復調部とを備えている。復調されたデータは、制御部５０４及びユーザデータ処理部５０５等に送られる。
【００５８】
一方、制御部５０４及びユーザデータ処理部５０５等が基地局２０２へ送信する送信データは、送信部５０２へ送られる。送信部５０２は、送信データを変調する変調部と、変調された送信データを拡散する拡散部と、拡散された送信データをアップコンバートして送信信号として送出する送信ＲＦ部とを備えている。送信信号は、共用器５０１及びアンテナ５００を介して基地局２０２へ送信される。
【００５９】
（具体例）
次に、図４〜図７を用いて、図１（ａ）の移動通信システムの具体的な動作例について説明する。
【００６０】
図４は、シーケンス番号＃００２０３４８の付与されたブロードキャスト情報が、３月３１日の５時４５分に配信される様子を示している。また、移動端末１，２は、シーケンス番号＃００２０３４７の付与されたブロードキャスト情報を前回受信しているものとする。
【００６１】
ブロードキャスト配信サーバ１０１からのブロードキャスト情報は、基地局２０１，２０２を経て、ブロードキャストリンクを伝送され、移動端末１，２にそれぞれ受信される。ブロードキャスト配信サーバ１０１は、シーケンス番号＃００２０３４８を配信履歴に追加する。
【００６２】
移動端末１，２は、シーケンス番号＃００２０３４７とシーケンス番号＃００２０３４８とが連続しているか否か判定する。ここでは、シーケンス番号が連続しているため、受信漏れがないと判断する。また、移動端末１，２は、受信済みのシーケンス番号＃００２０３４８を記憶する。
【００６３】
次に、図５においては、シーケンス番号＃００２０３４９の付与されたブロードキャスト情報が、３月３１日の１１時４５分に配信される様子を示している。ブロードキャスト配信サーバ１０１は、シーケンス番号＃００２０３４９を配信履歴に追加する。図４と同様に、移動端末１は、ブロードキャスト情報（＃００２０３４９）を受信し、シーケンス番号チェックを完了している。これに対して、移動端末２は、サービスエリア外（圏外）であるため、ブロードキャスト情報（＃００２０３４９）を受信し損ねている。
【００６４】
次に、図６においては、シーケンス番号＃００２０３５０の付与されたブロードキャスト情報が、３月３１日の１７時４５分に配信される様子を示している。ブロードキャスト配信サーバ１０１は、シーケンス番号＃００２０３５０を配信履歴に追加する。図５と同様に、移動端末１は、ブロードキャスト情報（＃００２０３５０）を受信し、シーケンス番号チェックを完了している。これに対して、移動端末２は、前回受信したシーケンス番号が＃００２０３４８であるため、ブロードキャスト情報（＃００２０３５０）はシーケンス番号が不連続であると判定する。この結果、移動端末２は、シーケンス番号＃００２０３４９のブロードキャスト情報が未到達であることを検出する。
【００６５】
次に、図７においては、移動端末２がブロードキャスト配信サーバ１０１に対して未到達を通知する様子を示している。移動端末２は、未到達であるシーケンス番号＃００２０３４９をブロードキャスト配信サーバ１０１に通知する。ブロードキャスト配信サーバ１０１は、未到達のブロードキャスト情報（＃００２０３４９）をユニキャストにより移動端末２へ送信する。また、ブロードキャスト配信サーバ１０１は、課金サーバ１０２に対し、未到達のブロードキャスト情報についての利用料金の減額を要求する料金減額要求を送信する。例えば、一回分の情報配信が５円である場合は、ブロードキャスト配信サーバ１０１は、移動端末２のブロードキャスト配信サービスの利用料金を５円減額するよう要求する。課金サーバ１０２は、移動端末２に対する利用料金を減額する。
【００６６】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６７】
例えば、上述した実施形態においては、ブロードキャスト配信サーバ１０１が、未到達通知に応じて、未到達のブロードキャスト情報の再送処理と、課金サーバ１０２に対する料金減額処理の両方を実行する一例を説明したが、再送処理と料金減額処理のいずれか一方のみを実行しても良い。
【００６８】
また、移動端末２が、未到達のブロードキャスト情報を検出した直後に、未到達通知をブロードキャスト配信サーバ１０１へ送信する一例を説明した。しかしながら、トラフィック量の増大を防止するため、移動端末２が複数回分の未到達通知を保持し、保持した複数回分の未到達通知を一括してブロードキャスト配信サーバに通知しても良い。例えば１日に１回といったように未到達通知の送信時刻を予め設定し、移動端末はその時刻に未到達通知を送信する。この場合、移動端末２による未到達通知の送信時刻は、トラフィック量の少ない時間帯とすることで、リソースを有効活用しつつ、未到達のブロードキャスト情報の再送処理を実現できる。
【００６９】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００７０】
【図１】図１（ａ）は本発明の実施形態に係る移動通信システムの全体構成例を示す模式図であり、図１（ｂ）は本発明の実施形態に係る到達確認型ブロードキャスト配信方法を示すシーケンス図である。
【図２】図２（ａ）は本発明の実施形態に係るブロードキャスト配信サーバの構成例を示すブロック図であり、図２（ｂ）は本発明の実施形態に係る配信履歴の一例を示す図である。
【図３】本発明の実施形態に係る移動端末の構成例を示すブロック図である。
【図４】本発明の実施形態に係る移動通信システムの具体的な動作例を説明するための模式図である（その１）。
【図５】本発明の実施形態に係る移動通信システムの具体的な動作例を説明するための模式図である（その２）。
【図６】本発明の実施形態に係る移動通信システムの具体的な動作例を説明するための模式図である（その３）。
【図７】本発明の実施形態に係る移動通信システムの具体的な動作例を説明するための模式図である（その４）。
【符号の説明】
【００７１】
１，２…移動端末
１００…コアネットワーク
１０１…ブロードキャスト配信サーバ
１０２…課金サーバ
２００…無線アクセスネットワーク
２０１，２０２…基地局
５００…アンテナ
５０１…共用器
５０２…送信部
５０３…受信部
５０４…制御部
５０５…ユーザデータ処理部
５０６…連続性判定部
５０７…シーケンス番号記憶部
５０８…シーケンス番号通知部
５０９…入出力ＩＦ部
５１０…ブロードキャスト情報記憶部
６０２…配信履歴記憶部
６０３…通信ＩＦ部
６０４…配信済み情報記憶部
６０５…ブロードキャスト情報配信部
６０６…入出力ＩＦ部
６０７…配信履歴更新部
６０８…未到達情報特定部
６０９…料金減額要求部
【図１】
0004832957.tif 000002
【図２】
0004832957.tif 000003
【図３】
0004832957.tif 000004
【図４】
0004832957.tif 000005
【図５】
0004832957.tif 000006
【図６】
0004832957.tif 000007
【図７】
0004832957.tif 000008